(57)【特許請求の範囲】
【請求項１】
放送される番組を記録媒体に録画する録画装置であって、
前記番組が、シリーズ物として放送される複数の番組のうち、第１回目に放送される番組か否かを判定する判定手段と、
前記判定手段によって、前記第１回目に放送される番組だと判定された前記番組を、前記記録媒体に録画する録画手段と
前記記録媒体に録画された第１回目に放送される番組がユーザによって視聴されたか否かを判定する視聴判定手段とを備え、
前記録画手段は、
前記視聴判定手段が、前記録画された第１回目に放送される番組がユーザによって視聴されたと判定するまで、第２回目以降の番組について継続して録画することを特徴とする録画装置。
【請求項２】
前記視聴判定手段が、前記録画された第１回目に放送される番組がユーザによって視聴されたと判定した場合、同一シリーズの以降の番組について視聴を継続するか否かに関する指示を要求するメッセージを、メッセージ提示装置に提示するメッセージ制御手段をさらに備え、
前記録画手段は、
前記メッセージ制御手段が提示したメッセージに対してユーザが入力した指示に応じて、前記同一シリーズの以降の放送について録画することを特徴とする請求項１に記載の録画装置。
【請求項３】
前記番組に関する情報を表す番組ガイドデータを取得する番組ガイドデータ取得部をさらに備え、
前記判定手段は、
前記取得した番組ガイドデータに基づいて、前記番組が、シリーズ物として放送される複数の番組のうち、前記第１回目に放送される番組か否かを判定することを特徴とする請求項１または２に記載の録画装置。
【請求項４】
前記判定手段は、
前記番組ガイドデータが表す情報の中に第１回目の放送であることを表す言葉が含まれている番組を、前記第１回目に放送される番組であると判定することを特徴とする請求項３に記載の録画装置。
【請求項５】
前記判定手段は、
前記番組ガイドデータに基づいて、前記番組のタイトルが、前記番組が放送される日から予め定められた日数だけ遡った日の同一の時間帯に放送される番組のタイトルと異なり、かつ、前記番組が放送される日から前記予め定められた日数が経過した日の同一の時間帯に放送される番組のタイトルと同一である場合に、前記第１回目に放送される番組であると判定することを特徴とする請求項３に記載の録画装置。
【請求項６】
前記番組の映像を表す映像データを含む放送データを取得する番組受信部をさらに備え、
前記録画手段は、
前記取得した放送データを蓄積して前記番組を前記記録媒体に録画し、
前記判定手段は、
前記蓄積した放送データに含まれる映像データに基づいて、前記番組が、シリーズ物として放送される複数の番組のうち、前記第１回目に放送された番組か否かを判定し、前記第１回目に放送された番組について、前記記録媒体に録画したまま残すと判定することを特徴とする請求項１または２に記載の録画装置。
【請求項７】
前記判定手段は、
前記映像データに基づいて、前記番組のタイトル画面の映像データが、前記番組が放送される日から予め定められた日数だけ遡った日の同一の時間帯に放送される番組のタイトル画面の映像データと異なり、かつ、前記番組が放送される日から前記予め定められた日数が経過した日の同一の時間帯に放送される番組のタイトル画面の映像データと同一である場合に、前記第１回目に放送される番組であると判定することを特徴とする請求項６に記載の録画装置。
【請求項８】
前記録画手段は、
前記番組を、第１回目に放送される番組を記録するための専用の領域に記録することを特徴とする請求項１〜７のいずれか１項に記載の録画装置。
【請求項９】
前記番組が、予告番組あるいは番宣番組か否かを判定するその他の判定手段をさらに備え、
前記録画手段は、
前記その他の判定手段によって、予告番組あるいは番宣番組だと判定された前記番組を、前記記録媒体に録画することを特徴とする請求項１〜８のいずれか１項に記載の録画装置。
【請求項１０】
前記録画手段は、
前記番組を、予告番組あるいは番宣番組を記録するための専用の領域に記録することを特徴とする請求項９に記載の録画装置。
【請求項１１】
放送される番組を記録媒体に録画する録画方法であって、
前記番組が、シリーズ物として放送される複数の番組のうち、第１回目に放送される番組か否かを判定する判定ステップと、
前記判定ステップにおいて、第１回目に放送される番組だと判定された前記番組を、前記記録媒体に録画する第１録画ステップと、
前記記録媒体に録画された第１回目に放送される番組がユーザによって視聴されたか否かを判定する視聴判定ステップと、
前記視聴判定ステップにおいて、前記録画された第１回目に放送される番組がユーザによって視聴されたと判定するまで、第２回目以降の番組について継続して録画する第２録画ステップとを備えていることを特徴とする録画方法。
【請求項１２】
請求項１から１０のいずれか１項に記載の録画装置を動作させる制御プログラムであって、コンピュータを上記の各手段として機能させるための制御プログラム。
【請求項１３】
請求項１２に記載の制御プログラムを記録しているコンピュータ読み取り可能な記録媒体。
【発明の詳細な説明】
【技術分野】
【０００１】
本発明は、受信した番組を録画する録画装置であって、特に、電子番組ガイド情報等に基づいて録画する番組を決定する録画装置、録画方法、録画プログラム、および、記録媒体に関する。
【背景技術】
【０００２】
近年、ハードディスクに放送番組を録画するハードディスクレコーダや、ハードディスクレコーダにＤＶＤ（Ｄｉｇｉｔａｌ  Ｖｅｒｓａｔｉｌｅ  Ｄｉｓｋ）レコーダやＢＤ（Ｂｌｕｅ−ｒａｙ  Ｄｉｓｃ）レコーダを組み合わせたハイブリッド型ハードディスクレコーダなどが急速に普及している。また、放送番組の案内情報として、放送開始、終了時刻、ジャンルなどの番組属性についての情報を含む番組データであるＥＰＧ（Ｅｌｅｃｔｒｉｃ  Ｐｒｏｇｒａｍ  Ｇｕｉｄｅ）データなどが用いられている。これにより、放送番組の録画に関してユーザを取り巻く環境は大きく変わってきている。
【０００３】
かつては、連続番組を録画予約する場合、ユーザは、番組が放送される時間帯や放送間隔（毎週や毎日など）を指定していた。しかしながら、この方法では、録画する時間帯が固定されるため、番組が放送される時間帯がずれた場合には、所望の番組を録画することができない。
【０００４】
これに対し、一度録画予約の登録をしたことがある番組について、あらかじめ取得している翌週の番組データをもとに近辺の時間帯から同一タイトルの番組を検出し、次の放送回の録画予約の時間帯を決定する、「追跡録画予約」という方式が提案されている。この方式によれば、毎週放送される番組の録り逃しを回避することができるだけでなく、週によって番組が放送される時間帯がずれるような場合においても、予約した番組を確実に録画することができる。
【０００５】
特許文献１には、この「追跡録画予約」方式による録画予約が可能な録画予約装置が開示されている。この録画予約装置は、番組名と日時・チャンネルとを対応させたデータを保持しており、ユーザは、録画予約する場合、録画日時とチャンネルではなく、番組名を直接指定する。
【０００６】
また、全チャンネル分のチューナと大容量ハードディスクとを備えて、放送されている全ての番組を録画する「全部録画」といった録画機器も登場している。
【特許文献１】特開平１１−８６３７７公報（１９９９年３月３０日公開）
【発明の開示】
【発明が解決しようとする課題】
【０００７】
上記従来技術の「追跡録画予約」方式による録画予約は、毎週放送される番組の録り逃しを回避するために利用される。つまり、「追跡録画予約」方式による録画予約において追跡録画の対象となる番組は、一度録画予約の登録がなされた番組に限られる。
【０００８】
そのため、前回の放送が存在しない番組、例えば、シリーズ番組の第１回の放送については、ユーザにとって魅力的な番組であるか不明であり、録画予約の対象となっていない可能性が高く、「追跡録画予約」方式を利用して録り逃しを防止することは困難である。
【０００９】
また、シリーズ番組の第１回の放送を録り逃さないためには、ユーザは、毎日、膨大な数の番組が掲載されている番組表の中に、シリーズ番組の第１回の放送についての情報が含まれていないかチェックし、シリーズ番組の第１回の放送が見つかった場合には新たに録画予約の登録をする必要がある。
【００１０】
しかしながら、この方法では、あまりにもユーザの負担が過大になるという問題を生じる。また、ユーザが上記のチェック時に、シリーズ番組の第１回の放送を見落とすことも考えられ、結果として録り逃してしまう可能性がある。
【００１１】
これに対し、放送されている全ての番組を録画する方法も考えられる。この方法によれば、第１回放送を録り逃す恐れはなくなる。しかしながら、全チャンネル分のチューナと大容量ハードディスクを用意する必要があり効率的ではない。
【００１２】
本発明は上記の問題に鑑みてなされたものであり、その目的は、ユーザによって録画予約の登録がなされることなくシリーズ番組の第１回の放送を録画する録画装置、録画方法、録画プログラム、および、記録媒体を提供することにある。
【課題を解決するための手段】
【００１３】
本発明に係る録画装置は、上記課題を解決するために、放送される番組を記録媒体に録画する録画装置であって、前記番組が、シリーズ物として放送される複数の番組のうち、第１回目に放送される番組か否かを判定する判定手段と、前記判定手段によって、前記第１回目に放送される番組だと判定された前記番組を、前記記録媒体に録画する録画手段とを備えていることを特徴としている。
【００１４】
前記の構成によれば、前記録画装置は、放送される番組を記録媒体に記録する。また、前記録画装置では、前記判定手段が、放送される番組がシリーズ物として放送される番組の第１回目であるか否かを判定する。ここで、シリーズ物の番組とは、連続ドラマなど、複数の放送回（放送話数）からなる同一タイトルの番組で、第１話から最終話までが、毎週、毎日など定期的な間隔で放送される番組を指す。そして、前記放送される番組がシリーズ物の第１回目の番組であると判定された場合、前記録画手段が前記番組を記録媒体に録画する。
【００１５】
つまり、上記の構成によれば、本発明に係る録画装置においては、ユーザが録画の操作をすることなく、新規に放送が開始されるシリーズ物の番組について、第１回目の放送を録画できる。
【００１６】
これにより、ユーザは、シリーズ物の番組を録画するために、膨大な数の番組の情報が掲載されている番組表を自らチェックする必要がなくなる。したがって、ユーザにとって利便性が向上する。また、シリーズ番組の第１回の放送を録り逃すことなく、確実に録画できるようになる。したがって、ユーザはシリーズ番組の第１回の放送を確実に視聴できるようになる。そして、ユーザはシリーズ番組を継続して視聴するか否かについて、第１回の放送を視聴した結果に基づいて判断することができるようになる。
【００１７】
本発明に係る録画方法は、放送される番組を記録媒体に録画する録画方法であって、
前記番組が、シリーズ物として放送される複数の番組のうち、第１回目に放送される番組か否かを判定する判定ステップと、前記判定手段によって、第１回目に放送される番組だと判定された前記番組を、前記記録媒体に録画する録画ステップとを備えていることを特徴としている。
【００１８】
上記の構成によれば、本発明に係る録画装置と同様の作用効果を奏する。
【００１９】
また、本発明に係る録画装置では、さらに、前記番組に関する情報を表す番組ガイドデータを取得する番組ガイドデータ取得部を備え、前記判定手段は、前記取得した番組ガイドデータに基づいて、前記番組が、シリーズ物として放送される複数の番組のうち、前記第１回目に放送される番組か否かを判定することが好ましい。
【００２０】
前記の構成によれば、前記番組ガイドデータ取得部は、番組に関する情報を表す番組ガイドデータを取得する。番組ガイドデータは、番組のタイトルをはじめ、放送日、番組の開始時刻、終了時刻、チャンネル、番組内容の説明を表すデータなどの情報を含むデータである。そして、前記判定手段は、前記取得した番組ガイドデータに基づいて、前記番組が、シリーズ物の第１回目の番組であるか否かについて判定する。
【００２１】
これにより、シリーズ物の第１回目の番組であるか否かについて、番組ガイドデータに含まれている番組に関する情報を利用して判定できるため、シリーズ物の第１回目の番組を正確に判定できるようになる。
【００２２】
また、本発明に係る録画装置では、さらに、前記判定手段は、前記番組ガイドデータが表す情報の中に第１回目の放送であることを表す言葉が含まれている番組を、前記第１回目に放送される番組であると判定することが好ましい。
【００２３】
前記の構成によれば、前記判定手段は、前記番組ガイドデータが表す情報の中に第１回目の放送であることを表す言葉が含まれている番組を、前記第１回目に放送される番組であると判定する。ここで、シリーズ物の第１回目であることを表す言葉としては、例えば、「第１回」などが考えられるが、「初回」や「第１話」などであってもよく、特に限定はされない。
【００２４】
これにより、番組ガイドデータが表す番組情報にシリーズ物の第１回目の番組であることが示されている番組について、確実に録画できるようになる。
【００２５】
また、本発明に係る録画装置では、さらに、前記判定手段は、前記番組ガイドデータに基づいて、前記番組のタイトルが、前記番組が放送される日から予め定められた日数だけ遡った日の同一の時間帯に放送される番組のタイトルと異なり、かつ、前記番組が放送される日から前記予め定められた日数が経過した日の同一の時間帯に放送される番組のタイトルと同一である場合に、前記第１回目に放送される番組であると判定することが好ましい。
【００２６】
前記の構成によれば、前記判定手段は、前記番組ガイドデータに含まれている番組のタイトルを表すデータを用いて、シリーズ物の第１回目の番組であるか否かを判定する。例えば、前記予め定められた日数が１週間の場合には、前記判定手段は、前記番組のタイトルが、前記番組が放送される日の前週の同一の時間帯に放送される番組のタイトルと異なり、かつ、前記番組が放送される日の翌週の同一の時間帯に放送される番組のタイトルと同一である場合に、前記第１回目に放送される番組であると判定する。なお、予め定められた日数は、１週間に限らず、１日であってもよく特に限定はされない。
【００２７】
これにより、番組ガイドデータが表す番組情報にシリーズ物の第１回目の番組であることが示されていない場合であっても、確実に録画できるようになる。
【００２８】
また、本発明に係る録画装置では、前記番組の映像を表す映像データを含む放送データを取得する番組受信部をさらに備え、前記録画手段は、前記取得した放送データを蓄積して前記番組を前記記録媒体に録画し、前記判定手段は、前記蓄積した放送データに含まれる映像データに基づいて、前記番組が、シリーズ物として放送される複数の番組のうち、前記第１回目に放送された番組か否かを判定し、前記第１回目に放送された番組について、前記記録媒体に録画したまま残すと判定することが好ましい。
【００２９】
前記の構成によれば、前記番組受信部は、番組の放送データを取得する。放送データには、番組の映像を表す映像データが含まれている。また、前記録画手段は、放送データを前記記録媒体に蓄積することによって、番組を録画する。そして、前記判定手段は、前記映像データに基づいて、前記番組が、シリーズ物の第１回目の番組であるか否かについて判定する。ここで、前記判定手段は、シリーズ物の第１回目の番組については、前記記録媒体に録画したまま残すと判定する。反対に、シリーズ物の第１回目以外の番組については、前記判定手段は、前記記録媒体から削除する判定をすることが考えられるが、特に限定はされない。
【００３０】
これにより、シリーズ物の第１回目の番組であるか否かについて、番組の映像を表す映像データを利用して判定できるため、シリーズ物の第１回目の番組を正確に判定できるようになる。
【００３１】
また、本発明に係る録画装置では、さらに、前記判定手段は、前記映像データに基づいて、前記番組のタイトル画面の映像データが、前記番組が放送される日から予め定められた日数だけ遡った日の同一の時間帯に放送される番組のタイトル画面の映像データと異なり、かつ、前記番組が放送される日から前記予め定められた日数が経過した日の同一の時間帯に放送される番組のタイトル画面の映像データと同一である場合に、前記第１回目に放送される番組であると判定することが好ましい。
【００３２】
前記の構成によれば、前記判定手段は、前記映像データに含まれている番組のタイトル画面の映像データを用いて、シリーズ物の第１回目の番組であるか否かを判定する。例えば、前記予め定められた日数が１週間の場合には、前記判定手段は、前記番組のタイトル画面の映像データが、前記番組が放送される日の前週の同一の時間帯に放送される番組のタイトル画面の映像と異なり、かつ、前記番組が放送される日の翌週の同一の時間帯に放送される番組のタイトル画面の映像データと同一である場合に、前記第１回目に放送される番組であると判定する。なお、予め定められた日数は、１週間に限らず、１日であってもよく特に限定はされない。
【００３３】
これにより、番組ガイドデータが表す番組情報にシリーズ物の第１回目の番組であることが示されていない場合であっても、確実に録画できるようになる。
【００３４】
また、本発明に係る録画装置では、さらに、前記記録媒体に録画された第１回目に放送される番組がユーザによって視聴されたか否かを判定する視聴判定手段をさらに備え、前記録画手段は、前記視聴判定手段が、前記録画された第１回目に放送される番組がユーザによって視聴されたと判定するまで、第２回目以降の番組について継続して録画することが好ましい。
【００３５】
前記の構成によれば、前記視聴判定手段は、前記記録媒体に録画された第１回目に放送される番組がユーザによって視聴されたか否かを判定する。そして、前記記録媒体に録画された第１回目に放送される番組がユーザによって視聴されたと判定されるまでは、前記録画手段は、第２回目以降の番組について継続して録画する。例えば、第２回目以降の番組が放送される時点で、前記録画された第１回目に放送される番組がユーザによって視聴されていない場合には、前記録画手段は、ユーザが操作を行うことなく前記第２回目以降の番組を録画する。
【００３６】
これにより、新規に開始するシリーズ番組について、少なくとも、録画された第１回目の番組をユーザが視聴するまでは、第２回目以降の番組についても継続して録画される。つまり、ユーザは、録画された第１回目の番組を視聴するまでは、第２回目以降の番組を見逃すことなく確実に視聴できる。
【００３７】
また、本発明に係る録画装置では、前記記録媒体に録画された第１回目に放送される番組がユーザによって視聴されたか否かを判定する視聴判定手段と、前記視聴判定手段が、前記録画された第１回目に放送される番組がユーザによって視聴されたと判定した場合、同一シリーズの以降の番組について視聴を継続するか否かに関する指示を要求するメッセージを、メッセージ提示装置に提示するメッセージ制御手段とをさらに備え、前記録画手段は、前記メッセージ制御手段が提示したメッセージに対してユーザが入力した指示に応じて、前記同一シリーズの以降の放送について録画することが好ましい。
【００３８】
前記の構成によれば、前記視聴判定手段は、前記記録媒体に録画された第１回目に放送される番組がユーザによって視聴されたか否かを判定する。そして、前記記録媒体に録画された第１回目に放送される番組がユーザによって視聴されたと判定された場合、メッセージ制御手段によって、メッセージ提示装置に同一シリーズの以降の番組について視聴を継続するか否かに関する指示を要求するメッセージを提示する。ユーザは、上記メッセージが表示されると、第２回以降の放送を継続して録画するか否かに関する指示を入力する。そして、録画制御手段は、ユーザが入力した指示に応じて、同一シリーズの以降の放送を録画する。
【００３９】
これにより、録画されたシリーズ物の第１回目の番組がユーザによって視聴された場合、第２回目以降の番組について継続して視聴するか否かについて、確実にユーザの意思を確認できるようになる。
【００４０】
また、本発明に係る録画装置では、前記録画手段は、前記番組を、第１回目に放送される番組を記録するための専用の領域に記録することが好ましい。
【００４１】
前記の構成によれば、前記録画手段は、シリーズ物の第１回目に放送される番組を、記録媒体の専用の領域に記録する。
【００４２】
これにより、シリーズ物の第１回目に放送される番組の録画データと、それ以外の番組（例えば、シリーズ物の第２回目以降の番組や特別番組など）の録画データとを区別して取り扱うことができる。したがって、シリーズ物の第１回目の番組に関連して実行される処理を効率的に行うことができるようになる。
【００４３】
本発明に係る録画装置では、放送される番組を記録媒体に録画する録画装置であって、前記番組が、予告番組あるいは番宣番組か否かを判定する判定手段と、前記判定手段によって、予告番組あるいは番宣番組だと判定された前記番組を、前記記録媒体に録画する録画手段とを備えていることを特徴としている。
【００４４】
前記の構成によれば、前記録画装置は、放送される番組を記録媒体に記録する。また、前記録画装置では、前記判定手段が、放送される番組が予告番組あるいは番宣番組であるか否かを判定する。ここで、予告番組とは、該予告番組の放送以降に放送予定の各種の番組を予告する番組である。また、番宣番組とは、該番宣番組の放送以降に放送予定の各種の番組を宣伝する番組である。つまり、予告番組あるいは番宣番組においては、シリーズ物の番組について予告あるいは宣伝も行われる。そして、前記放送される番組が予告番組あるいは番宣番組であると判定された場合、前記録画手段が前記番組を記録媒体に録画する。
【００４５】
つまり、上記の構成によれば、本発明に係る録画装置においては、ユーザが録画の操作をすることなく、予告番組あるいは番宣番組を録画できる。
【００４６】
これにより、ユーザは、予告番組あるいは番宣番組を確実に録画できるようになる。そして、ユーザは、録画された予告番組または番宣番組を視聴することによって、予告番組または番宣番組が予告、宣伝の対象としているシリーズ番組がユーザにとって魅力的な番組であるか否かを判断できるようになる。
【００４７】
本発明に係る録画方法は、放送される番組を記録媒体に録画する録画方法であって、前記番組が、予告番組あるいは番宣番組か否かを判定する判定ステップと、前記判定手段によって、予告番組あるいは番宣番組だと判定された前記番組を、前記記録媒体に録画する録画ステップとを備えていることを特徴としている。
【００４８】
上記の構成によれば、本発明に係る録画装置と同様の作用効果を奏する。
【００４９】
また、本発明に係る録画装置では、前記録画手段は、前記番組を、予告番組あるいは番宣番組を記録するための専用の領域に記録することを特徴とすることが好ましい。
【００５０】
前記の構成によれば、前記録画手段は、予告番組あるいは番宣番組を、記録媒体の専用の領域に記録する。
【００５１】
これにより、予告番組あるいは番宣番組の録画データと、それ以外の番組の録画データとを区別して取り扱うことができるようになる。したがって、予告番組あるいは番宣番組に関連して実行される処理を効率的に行うことができるようになる。
【００５２】
なお、上記録画装置は、コンピュータによって実現してもよい。この場合、コンピュータを上記各手段として動作させることにより上記録画装置をコンピュータにおいて実現する制御プログラム、およびその制御プログラムを記録したコンピュータ読み取り可能な記録媒体も、本発明の範疇に入る。
【発明の効果】
【００５３】
本発明に係る録画装置は、以上のように、放送される番組を記録媒体に録画する録画装置であって、前記番組が、シリーズ物として放送される複数の番組のうち、第１回目に放送される番組か否かを判定する判定手段と、前記判定手段によって、前記第１回目に放送される番組だと判定された前記番組を、前記記録媒体に録画する録画手段とを備えていることを特徴としている。
【００５４】
また、本発明に係る録画方法は、放送される番組を記録媒体に録画する録画方法であって、前記番組が、シリーズ物として放送される複数の番組のうち、第１回目に放送される番組か否かを判定する判定ステップと、前記判定手段によって、第１回目に放送される番組だと判定された前記番組を、前記記録媒体に録画する録画ステップとを備えていることを特徴としている。
【００５５】
それゆえ、新規に放送が開始されるシリーズ物の第１回目の番組を録り逃すことなく、確実に録画できる。つまり、シリーズ物がユーザにとって望ましい番組であるか否かについて、ユーザはシリーズ物の第１回目の番組を視聴した上で、より適確な判断ができるようになる。
【発明を実施するための最良の形態】
【００５６】
〔実施の形態１〕
本発明の実施の一形態ついて、図１乃至図６を用いて説明する。本実施の形態においては、ユーザによって録画予約の登録がなされることなくシリーズ番組の第１回の放送を録画する録画装置１について説明する。
【００５７】
（録画装置１の概要）
図１は、本発明の実施の形態１に係る録画装置１の概略構成を示した機能ブロック図である。録画装置１は、番組ガイドデータ取得部１０１（番組ガイドデータ取得手段）と、番組受信部１０２と、番組指定データ抽出部１０３（判定手段）と、蓄積制御部１０４（録画手段、視聴判定手段）と、蓄積部１０５（記録媒体）と、再生制御部１０６（メッセージ制御手段）と、表示制御部１０７と、指示部１０８と、操作部１０９、ディスプレイ１１０（メッセージ提示装置）とを備えている。
【００５８】
番組ガイドデータ取得部１０１は、現在放送中の番組、あるいは将来放送予定の番組についての案内情報を表す番組ガイドデータを取得する。番組ガイドデータとしては、例えば、放送波を介して提供されるＥＰＧ（電子番組表）や、デジタル放送において映像データとともに多重化されて送られるＳＩ（Ｓｅｒｖｉｃｅ  Ｉｎｆｏｒｍａｔｉｏｎ：サービス情報）に含まれる番組情報などがある。また、番組ガイドデータ取得部１０１は、番組ガイドデータとして、インターネット上で公開されている番組表データをダウンロードして使用することもできる。さらに、上述した各種の番組ガイドデータを組み合わせて用いてもよく、特に限定はされない。そして、番組ガイドデータ取得部１０１は、取得した番組ガイドデータを番組指定データ抽出部１０３に伝送する。
【００５９】
番組受信部１０２は、現在放送中の番組の放送信号を受信し、受信した放送信号を復調して映像信号や音声信号などを取り出す。そして、番組受信部１０２は、取り出した映像信号や音声信号をそのままあるいは符号化し、映像データや音声データなどからなる放送データとして番組指定データ抽出部１０３および蓄積制御部１０４に伝送する。
【００６０】
番組指定データ抽出部１０３は、まず、受け取った番組ガイドデータに基づいて、あるいは番組の映像データに基づいて、シリーズ番組（シリーズ物として放送される複数の番組）の第１回目（初回放送話、第１話）の放送について、録画するために必要となる番組を指定するための情報を番組指定データとして抽出する。ここで言う「シリーズ番組」とは、連続ドラマなど、複数の放送回（放送話数）からなる同一タイトルの番組で、第１話から最終話までが、毎週、毎日など定期的な間隔で放送される番組を指す。上記の番組指定データには、少なくとも番組の放送日（あるいは曜日）、開始時刻、終了時刻（あるいは放映時間長）、及びチャンネルが含まれている。また、場合によっては放送間隔（毎日や毎週など）なども含まれる。
【００６１】
なお、番組指定データ抽出部１０３は、番組ガイドデータに番組情報が含まれている番組について、上記番組指定データを抽出する対象とする番組であるか否かを判定する処理を行う。すなわち、番組指定データ抽出部１０３は、番組ガイドデータに番組情報が含まれている番組について、シリーズ物として放送される複数の番組のうち、第１回目に放送される番組か否かを判定する。
【００６２】
蓄積制御部１０４は、番組指定データ抽出部１０３から、上記の番組指定データを受け取り、番組指定データに基づいて番組を録画する。このとき、蓄積制御部１０４は、番組受信部１０２から放送データを受け取って、蓄積部１０５に蓄積する。なお、蓄積制御部１０４は、番組名や放送回数などを表す番組基本データと関連付けて、番組ごとに放送データを蓄積する。つまり、蓄積部１０５は、放送データを番組ごとに蓄積している。ここで、番組基本データは、蓄積された放送データを番組ごとに管理するためのデータであり、上述したように管理用の必要最小限のデータを選択して蓄積するようにしてもよいが、これ以外にも、番組ガイドデータか、あるいは番組ガイドデータから抜き出された上記番組指定データをそのまま記録して番組基本データとして扱うようにしてもよい。また、蓄積部１０５は、放送データとともに、映像データから別途抜き出された、番組を代表する画像データなども蓄積する。この代表画像データは、サムネール表示時のサムネールデータとして利用される。
【００６３】
再生制御部１０６は、番組を再生する場合に、蓄積部１０５から番組の放送データを取り出して、表示制御部１０７に番組の映像信号を供給する。また、再生制御部１０６は、録画した番組について、放送データとともに蓄積されている画像データ（例えば、サムネールデータ）、番組基本データ（あるいは、番組ガイドデータ）なども表示制御部１０７に出力する。そして、表示制御部１０７は、ディスプレイ１１０に、蓄積された番組の情報（番組データ）と共に画像データが表す画像を添えてリスト表示したり、画像データをサムネール一覧表示したり、番組ガイドデータが表す番組案内情報を表示するための制御を行う。
【００６４】
指示部１０８は、ユーザが操作部１０９を介して入力した指示内容を指示データとして受け付けて、蓄積制御部１０４に供給する。蓄積制御部１０４は、受け取った指示データに基づいて番組を録画する。
【００６５】
指示部１０８についての詳細は後述するが、概要は次のとおりである。本発明にかかる録画装置１においては、ユーザが蓄積部１０５に蓄積されているシリーズ番組を視聴した後、今後も当該シリーズ番組の視聴を継続するか否か（すなわち、継続して録画を続けるか否か）について、ユーザの意思を確認するメッセージを表示する。例えば、録画されたシリーズ番組の第１回の放送を視聴後に、第２回以降の放送を視聴するか否かを確認するメッセージを表示する。ユーザは、操作部１０９を介して、このメッセージに対する回答を入力する。このとき、第２回以降も放送を視聴する旨の回答をユーザが入力すれば、指示部１０８は蓄積制御部１０４に対して、第２回以降の放送について継続して録画を指示する指示データを伝送する。
【００６６】
（番組指定データ抽出部１０３）
以下に、番組指定データ抽出部１０３について詳細に説明する。図２は、番組指定データ抽出部１０３が番組ガイドデータを利用してシリーズ番組の第１回の放送についての番組指定データを抽出する処理のイメージを表す図である。
【００６７】
図２（Ａ）は、キーワード検索によってシリーズ番組の第１回の放送についての番組指定データを抽出する場合のイメージを表す図である。図２（Ａ）に示すとおり、番組ガイドデータ２０１は、複数の番組についての情報を含んでいる。番組ガイドデータ２０１には、番組のタイトルのみが図示されているが、タイトルのほかに、放送日、番組の開始時刻、終了時刻、チャンネル、番組の内容を表すテキストデータなどが番組ごとに含まれている。
【００６８】
番組指定データ抽出部１０３は、番組ガイドデータ２０１に含まれている各番組について、番組内容を表すテキストデータの中から、キーワード２０２を検索する。キーワード２０２は、「第１回」、「初回」、「第１話」のようなシリーズ番組の第１回目の放送であることを表す言葉であり、テキストデータとして図示しない記憶部にあらかじめ登録されている。これにより、検索の結果、番組内容を表すテキストデータの中にキーワード２０２が含まれている番組については、シリーズ番組の第１回の放送ということになる。
【００６９】
図２（Ａ）の例では、検索の結果、番組指定データ抽出部１０３が、番組ガイドデータ２０１の中から、シリーズ番組の第１回の放送であることを表す「第１回」というキーワードが含まれている「春の嵐」という番組について、番組指定データを抽出することを示している。番組指定データ抽出部１０３は、「春の嵐」について、番組ガイドデータ２０３の中から、放送日、番組の開始時刻、終了時刻、チャンネル、放送間隔（毎日や毎週など）を表すデータなどを番組指定データ２０４として抽出し、蓄積制御部１０４に伝送する。
【００７０】
なお、図２（Ａ）においては、一つの番組についての番組指定データのみが抽出されているが、複数の番組が抽出される場合もある。なお、ユーザは、キーワード２０２として、シリーズ番組の第１回であることを表す他の言葉を新たにデータ登録することや、既に登録されているデータを変更することなどができる。
【００７１】
ただし、図２（Ａ）に示す方法では、番組ガイドデータ２０１に含まれている番組内容を表すテキストデータの中に、「第１回」、「初回」、「第１話」というキーワードが含まれていないシリーズ番組の第１回の番組があった時には、その番組を第１回放送であると判定することはできない。
【００７２】
また、シリーズ番組以外の番組であっても、番組ガイドデータ２０１に含まれている番組内容を表すテキストデータの中に、「第１回」「初回」「第１話」などのキーワードが含まれている番組であれば、本来対象とはならない番組、すなわち、シリーズ番組の第１回でない番組を抽出してしまう。このケースでは、番組ガイドデータに放送間隔を表すデータが含まれる場合には、そのデータを利用することでシリーズ番組でない番組を除外することもできる。
【００７３】
図２（Ｂ）は、異なる日の同一の時間帯に放送される番組のタイトルを比較することによって、シリーズ番組の第１回の放送についての番組指定データを抽出する場合の処理のイメージを表す図である。図２（Ｂ）に示す例では、シリーズ番組の第１回の放送についての番組指定データを抽出する対象とする日の番組ガイドデータ２１２（今週分の番組ガイドデータ２１２）と、その前週の番組ガイドデータ２１１と、その翌週の番組ガイドデータ２１３とを用いて、シリーズ番組の第１回の放送についての番組指定データを抽出する。つまり、本実施の形態においては、毎週放送されるシリーズ番組について録画する例が示されている。この場合、１週間という日数は、本実施の形態に係る録画装置において予め定められた日数である。しかしながら、本発明に係る録画装置において録画の対象としているシリーズ番組は、１日間隔で放送されるシリーズ番組を録画の対象としてもよく、特に限定はされない。
【００７４】
より具体的に説明すれば以下のとおりである。まず、番組ガイドデータ取得部１０１は、あらかじめ、番組ガイドデータ２１１、番組ガイドデータ２１２、番組ガイドデータ２１３を取得し、図示せぬ記憶部に格納しておく。各番組ガイドデータは、複数の番組について、番組の放送予定や番組内容などの番組情報を表すデータを含んでいる。
【００７５】
図２（Ｂ）に示す例では、番組ガイドデータ２１１、番組ガイドデータ２１２、番組ガイドデータ２１３は、同じチャンネルについての番組情報を表している。なお、番組２１１ａ、番組２１２ａ、番組２１３ａは同一の時間帯に放送される番組であり、また、番組２１１ｂ、番組２１２ｂ、番組２１３ｂも同一の時間帯に放送される番組である。
【００７６】
番組指定データ抽出部１０３は、シリーズ番組の第１回の放送についての番組指定データを抽出する処理において、はじめに、今週分の番組ガイドデータ２１２に含まれている番組のタイトルと、その前週の番組ガイドデータ２１１に含まれている番組のタイトルとを比較する。このとき、番組指定データ抽出部１０３は、同一の時間帯に放送される番組について比較する。図２（Ｂ）に示す例においては、番組指定データ抽出部１０３は、例えば、番組２１１ａと番組２１２ａ、あるいは、番組２１１ｂと番組２１２ｂについて、タイトルを比較する。同様に、番組指定データ抽出部１０３は、同一の時間帯に放送される他の全ての番組についてもタイトルの比較を行う。
【００７７】
比較の結果、番組指定データ抽出部１０３は、番組ガイドデータ２１２に番組情報が含まれている番組のうち、番組のタイトルが前週の同一の時間帯に放送される番組のタイトルと異なる番組を候補番組として抽出する。図２（Ｂ）に示す例においては、番組指定データ抽出部１０３は、番組２１２ａ、番組２１２ｃを候補番組として抽出する。これにより、今週放送される番組のうち前週には放送されていない番組、すなわち、シリーズ番組の第１回の放送である可能性のある番組が抽出されることになる。しかしながら、前週放送の番組との比較だけでは、１回しか放送されないような特別番組も候補番組として選び出されてしまうことになる。図２（Ｂ）では番組２１２ｃがこれにあたる。
【００７８】
そこで、次に、番組指定データ抽出部１０３は、上記候補番組のタイトルと、その翌週の同一の時間帯に放送される番組のタイトルとを比較する。図２（Ｂ）に示す例においては、上記候補番組として抽出した番組２１２ａと番組２１３ａ、番組２１２ｃと番組２１３ｃのタイトルを比較する。
【００７９】
比較の結果、番組指定データ抽出部１０３は、候補番組のうち、番組のタイトルが翌週の同一の時間帯に放送される番組のタイトルと同一の番組をシリーズ番組の第１回の放送であるとして抽出する。図２（Ｂ）に示す例においては、番組指定データ抽出部１０３は、シリーズ番組の第１回の放送であるとして番組２１２ａを抽出する。これにより、前週には放送されていないが、今週および翌週放送される番組が抽出されることになる。つまり、抽出された番組は、今週だけでなく翌週も放送される番組であり、１回しか放送されないような特別番組は含まれない。
【００８０】
その後、番組指定データ抽出部１０３は、上記抽出したシリーズ番組の第１回の放送について、番組ガイドデータ２１４の中から、放送日、番組の開始時刻、終了時刻、チャンネル、放送間隔（毎日や毎週など）を取り出し、番組指定データ２１５として、蓄積制御部１０４に伝送する。
【００８１】
以上、図２（Ａ）に示す方法と図２（Ｂ）に示す方法とを独立した方法として説明したが、これらの方法を組合せることによって、番組ガイドデータの中からシリーズ番組の第１回の放送である番組を抽出する精度を高めることもできる。
【００８２】
更に、番組指定データ抽出部１０３は、上述した抽出処理を行う前に、番組ガイドデータに含まれている番組のジャンルを表すデータに基づいて、抽出処理の対象とする番組をあらかじめ絞り込んでおいてもよい。例えば、操作部１０９を介して抽出処理の対象とする番組のジャンルを指定できるようにすれば、シリーズのドラマ番組は見たいが、シリーズのアニメーション番組は見ないユーザは、抽出処理の対象とする番組のジャンルとしてドラマを指定できる。そして、番組指定データ抽出部１０３は、あらかじめ、番組ガイドデータの中から、番組のジャンルを表すデータがドラマの番組のみを抽出しておくことができる。
【００８３】
あるいは、操作部１０９を介して視聴／録画する番組の放送の時間帯を指定できるようにしてもよい。これにより、１９〜２１時の時間帯に放送されているシリーズ番組は見たいが、２１〜２３時台のシリーズ番組は見ないユーザは、１９〜２１時の時間帯に放送されているシリーズ番組のみを抽出処理の対象として指定できる。この場合、番組指定データ抽出部１０３は、あらかじめ、番組ガイドデータの中から、番組の放送時間帯を表すデータが１９〜２１時の時間帯の番組のみを抽出しておくことができる。
【００８４】
つまり、上述した構成によれば、番組指定データ抽出部１０３は、ユーザによって指定されたジャンルや放送の時間帯などに基づいて抽出処理の対象とする番組を絞り込んだ上で、シリーズ番組の第１回の放送についての番組指定データを抽出する処理を行うことができる。
【００８５】
図３は、番組指定データ抽出部１０３がシリーズ番組の第１回の放送についての番組指定データを抽出する処理において、番組の映像データを利用してシリーズ番組の第１回の放送を判定する処理のイメージを表す図である。
【００８６】
番組の映像データを利用してシリーズ番組の第１回の放送を判定する処理について、より具体的に説明すれば次のとおりである。まず、蓄積制御部１０４は、番組受信部１０２が受信する全ての番組について、毎日、タイトル画面の映像データを抜き出して、蓄積部１０５に記録している。そして、番組指定データ抽出部１０３は、シリーズ番組の第１回の放送であるか否かを判定する対象となる番組について、当該番組のタイトル画面の映像データ（今週の番組映像）と前週の同一の時間に放送されていた番組のタイトル画面の映像データとを比較する。
【００８７】
図３においては、番組指定データ抽出部１０３が、番組３１２について、シリーズ番組の第１回の放送であるか否かを判定する例を示している。この例では、番組指定データ抽出部１０３は、番組３１２の番組映像（今週の番組映像）におけるタイトル画面３０２の映像データと、前週に番組３１２の放送時間と同一の時間に放送されていた番組３１１の番組映像におけるタイトル画面３０１の映像データとを比較する。その結果、タイトル画面３０２の映像データとタイトル画面３０１の映像データとが異なる場合、番組指定データ抽出部１０３は、番組３１２がシリーズ番組の第１回の可能性がある番組であると判定する。
【００８８】
次に、シリーズ番組の第１回の可能性がある番組に対して、今週の番組３１２のタイトル画面３０２の映像データと、翌週の番組３１３のタイトル画面３０３の映像データとを比較して同一の番組であるか否かを判定する。但し、タイトル画面３０３の映像データは翌週の放送時点で得られるものであり、今週の番組の放送時点で得ることはできない。このため、番組の映像データを利用したシリーズ番組の第１回放送の判定においては、先週のタイトル映像と比較してシリーズ番組の第１回の放送の候補番組と判定された時点で、今週の番組を録画し、翌週の番組の放送時点で、録画された候補番組が第１回の放送であったかを追検証して、正しく第１回の放送であった場合には録画番組を残し、判定の結果、第１回の放送でないと判断された場合には、翌週の放送時点で録画番組を消去する。
【００８９】
図３に示す処理は、シリーズ番組の第１回の放送を判定するために、図２（Ｂ）に示す処理において、異なる日の同一の時間帯に放送されている番組についてタイトルを比較する処理を、タイトル画面の映像データを比較する処理に置き換えたものである。なお、比較に用いる映像データは、１枚のフレーム映像を表す映像データに限らず、複数のフレームからなるシーンの映像データを比較対象としてもよい。例えば、番組開始から一定時間の映像データ（オープニング映像の映像データ）を比較して判定するなどといった処理も可能である。
【００９０】
番組の映像データを利用してシリーズ番組の第１回の放送を録画する場合にも、番組は番組の先頭から録画される。この際、具体的には、上述したように、蓄積制御部１０４は、受信する全ての番組についてタイトル画面の映像データを抜き出して蓄積部１０５に記録しているため、タイトル画面の映像データに至るまではその過程を利用して録画されるものとし、タイトル映像放送後に番組の録画を続けるか否かが判定処理で判定される。録画の終了は、番組ガイドデータに含まれる終了時刻の情報などに基づいて行われる。
【００９１】
蓄積制御部１０４は、番組指定データ抽出部１０３が抽出した番組について、番組の放送日、開始時刻、終了時刻、チャンネル、放送間隔（毎日や毎週など）などのデータを番組指定データとして受け取り、番組指定データに基づいて番組を録画する。したがって、番組指定データに含まれている番組の放送日や開始時刻が番組指定データを受け取った時点よりも未来であった場合、蓄積制御部１０４は、番組指定データに含まれている番組の放送日、あるいは、開始時刻になるまで待機する。すなわち、録画装置１は、録画予約が設定された状態となる。一方、受け取った番組指定データが現在放送中の番組を指定する内容であれば、即座に放送中の番組を録画する。あるいは上述したように、既に録画されている番組先頭からの録画映像を含めて、現在放送中の番組を番組先頭から録画する。
【００９２】
また、録画したシリーズ番組の第１回の放送をユーザが視聴する前に、同一番組の第２回以降の放送がなされた場合、蓄積制御部１０４は、第１回の番組を録画した場合に用いた番組指定データに含まれている放送日と放送間隔とから第２回以降の放送日を算出し、上記番組指定データに含まれている開始時刻と終了時刻に従って、第２回以降の放送についても継続して番組を録画する。
【００９３】
（蓄積制御部１０４および蓄積部１０５）
蓄積制御部１０４は、この第２回以降の放送についての録画を、録画されたシリーズ番組の第１回の放送をユーザが視聴した後、第２回以降の番組を視聴あるいは録画するか否かについてユーザが指示するまで継続する。つまり、蓄積制御部１０４は、録画されたシリーズ番組の第１回の放送をユーザが視聴したか否かについて判定する。そして、ユーザが視聴していないと判定している間は、上記シリーズ番組の第２回以降の放送についても継続して録画を行う。
【００９４】
また、第１回の放送をユーザが視聴した後に限らず、第２回以降の放送を継続して録画するか否かに関してユーザから何らかの指示を受けるまで（所定の条件を充足するまで）蓄積制御部１０４が第２回以降の放送も継続して録画する構成としてもよく特に限定はされない。録画されたシリーズ番組の第１回の放送をユーザが視聴した場合における蓄積制御部１０４の具体的な処理内容については後述する。
【００９５】
蓄積部１０５は、録画対象の番組の映像データや音声データなどからなる放送データと、番組名や放送回数などの番組に関する基本的な情報を表す番組基本データとを関連付けて蓄積している。ただし、蓄積部１０５は、放送データと番組基本データとを厳密に同じ記録媒体に記録している必要はない。すなわち、蓄積部１０５は、複数の記録媒体によって構成され、放送データと番組基本データとを別々の記録媒体に記録してもよい。また、既に説明したように、番組基本データは、上述した番組ガイドデータ、あるいは番組ガイドデータから抜き出された番組指定データをそのまま記録したものであってもよい。
【００９６】
蓄積部１０５は、ＨＤＤ、ＲＡＭ（Ｒａｎｄｏｍ  Ａｃｃｅｓｓ  Ｍｅｍｏｒｙ）、フラッシュメモリなどの内部記録媒体や、フレキシブルディスク、カセットテープ、ＭＯ(Ｍａｇｎｅｔｉｃ  Ｏｐｔｉｃａｌ  Ｄｉｓｃ)、ＭＤ(Ｍｉｎｉ  Ｄｉｓｃ)、ＣＤ(Ｃｏｍｐａｃｔ  Ｄｉｓｃ)−ＲＯＭ／ＲＡＭ／Ｒ／ＲＷ、ＤＶＤ(Ｄｉｇｉｔａｌ  Ｖｅｒｓａｔｉｌｅ  Ｄｉｓｃ)−ＲＯＭ／ＲＡＭ／Ｒ／ＲＷ、ＳＤメモリカード、ＩＣカード（メモリカードを含む）、光カード、半導体メモリといった外部記録媒体の任意の組合せによって構成され、特に限定はされない。
【００９７】
本発明にかかる録画装置１によれば、シリーズ番組を第１回から逃さず録画できるようになる。これにより、ユーザは、新規に開始されたシリーズ番組の第１回の放送を確実に視聴できるようになる。したがって、ユーザは、シリーズ番組の第１回の放送を視聴して、シリーズ番組の第２回以降の放送を視聴するか否かを選択できるようになる。
【００９８】
従来、ユーザは、シリーズ番組が放送される前に流される番宣（番組宣伝）ＣＭなどを視聴して、そのシリーズ番組を録画するか否かを判断していた。これに対し、本発明にかかる録画装置１によれば、シリーズ番組の第１回の放送を確実に録画できるため、録画されたシリーズ番組の第１回の放送を視聴した後で、そのシリーズ番組を録画するか否を判断できる。これにより、その番組がユーザ自身にとって望ましいものであるか否かについて、より正確な判断が可能となる。なお、視聴する時間が限られているユーザのために、録画装置１は、第１回の放送についてのダイジェストを生成するなどの付加機能を備えていてもよい。
【００９９】
上記を踏まえると、本願の録画装置１においては、シリーズ番組の第１回の放送データと、それ以外の番組の放送データとを区別できるようにする必要がある。図４は、蓄積部１０５が放送データを蓄積している様子を示す図である。図４（Ａ）は、シリーズ番組の第１回の放送データを蓄積する専用の領域を有する蓄積部１０５を示す図である。また、図４（Ｂ）は、シリーズ番組の第１回の放送データについて、録画リスト４１１を用いて管理する蓄積部１０５を示す図である。このため、蓄積部１０５においては、図４（Ａ）に示すとおり、シリーズ番組の第１回の放送データを記録するための専用の蓄積領域４０１を設けている。なお、図４（Ａ）に示すもう一つの蓄積領域４０２は、シリーズ番組の第２回以降の放送データや非シリーズ番組の放送データなどを記録するための領域である。あるいは、図４（Ｂ）に示すとおり、録画されたシリーズ番組の第１回の放送についての録画リスト４１１を生成して管理してもよい。また、録画リスト４１１には、シリーズ番組の第何回の放送分まで放送データが蓄積されているのかを表すデータも記録されている。なお、リスト４１１に示されている「２」は、蓄積部１０５には、「春の嵐」という番組について、第２回の放送までの放送データが記録されていることを表している。録画リスト４１１に記録されている第１回の放送についての情報をどのように扱うかについては後述する。
【０１００】
また、図４（Ａ）に示す蓄積領域４０１を用いる場合、シリーズ番組の第１回の放送データについて蓄積可能な量を制限する、すなわち、蓄積領域４０１の容量に制限を設けるとしてもよい。これにより、任意の時点において、第１回の放送データが蓄積されている番組の数を抑えることができる。あるいは、放送の１クールごとに、蓄積領域４０１に蓄積されている放送データを入れ替えてリフレッシュするといった処理を加えることも考えられる。
【０１０１】
（再生制御部１０６）
再生制御部１０６は、蓄積部１０５から番組の映像データを取り出し、表示制御部１０７に映像信号として供給する。すなわち再生制御部１０６は番組の映像を再生する。また、再生制御部１０６は、放送データに関連付けられている番組基本データをもとに、録画済み番組の一覧を表すデータを表示制御部１０７に送出する。さらに、再生制御部１０６は、番組基本データ内の情報あるいは番組基本データと異なる付加情報として、映像データとともに蓄積部１０５に蓄積されている番組の案内情報を表す番組ガイドデータを取り出し、番組の映像信号と共に番組ガイドデータを表示制御部１０７に送出する。他に、再生制御部１０６は、映像データとともに蓄積部１０５に蓄積されている番組の画像データ（例えば、サムネールデータ）を取り出し、表示制御部１０７に送出する。そして、表示制御部１０７は、ディスプレイ１１０に番組の案内情報を表示したり、録画している番組の画像をリストに貼付表示したり、サムネール一覧表示したりするための制御を行う。
【０１０２】
図５は、録画済みの番組のリストをディスプレイ１１０に表示する例を示す図である。図５に示す例では、蓄積部１０５に放送データが蓄積されている番組、すなわち、録画済みの番組をリスト表示する画面において、シリーズ番組の第１回の放送データが蓄積されている番組についてのみ、番組のタイトルと、当該番組について第何回の放送まで録画されているかを示す数字（録画回数）が表示されている。
【０１０３】
このとき、図４（Ａ）で示したようにシリーズ番組の第１回の放送データを蓄積領域４０１を用いて管理している場合、再生制御部１０６は、蓄積領域４０１に放送データが蓄積されている番組についてのみ録画回数を調べて表示する。あるいは、図４（Ｂ）で示したように第１回の放送データを録画リスト４１１を用いて管理している場合、再生制御部１０６は、録画リスト４１１を参照して録画回数を表示する。
【０１０４】
図５に示す例では、ユーザは、操作部１０９を介して、ディスプレイ１１０にリスト表示されている番組の中から見たい番組を選択できる。そして、再生制御部１０６はユーザが選択した番組を再生する。このとき、再生制御部１０６は、第１回の放送（未視聴）を含むシリーズ番組が選択されると、上記の録画回数に関係なく、第１回の放送を再生する。
【０１０５】
上記の構成によれば、ユーザがシリーズ番組を途中の放送回から（例えば、第２回から）視聴する誤りを防止できる。また、図５に示す例以外に、シリーズ番組の第１回の放送データが蓄積されている番組のタイトルのみをリスト表示するような専用選択画面を用意してもよい。
【０１０６】
更に、再生制御部１０６は、ユーザが図５に示すリストから所望の録画番組を選択して、録画されたシリーズ番組の第１回の放送を視聴した後、ユーザに対して、そのシリーズ番組の続き、すなわち、第２回以降の放送を視聴するか否かについてユーザの意思を確認するためのメッセージを表示する。本実施の形態においては、同一シリーズの以降の番組について視聴を継続するか否かに関して、ユーザの指示を要求するメッセージを表示する例を示している。
【０１０７】
図６は、シリーズ番組の続きを視聴または録画するか否かについてユーザの意思を確認するためにディスプレイ１１０に表示されるメッセージの例を示す図である。図６に示すメッセージに対して、ユーザは、操作部１０９を介して、シリーズ番組の続きを視聴するか否かを入力する。
【０１０８】
図６（Ａ）は、ユーザに対して、第２回以降の放送を視聴するか否かについて二者択一を要求するメッセージの例である。この場合、ユーザは、第１回の放送を視聴した直後に、シリーズ番組の続きを視聴するか否かを決定する必要がある。
【０１０９】
図６（Ｂ）は、ユーザが第２回以降の放送を視聴するか否かの判断を保留することを選択できるメッセージの例である。これにより、ユーザは、第１回の放送だけでは視聴し続けるか否かを判断できない場合に、第２回の放送を視聴した段階で再度判断すればよく、シリーズ番組の続きを視聴するか否かについての判断を延期できる。さらに、ユーザは、第２回以降の放送を視聴した後であっても保留を繰り返すことができ、判断を更に後の回に延期していくことも可能である。
【０１１０】
なお、図６（Ａ）および図６（Ｂ）に示されている「続きを視聴」とは、即時にシリーズ番組の続きを再生して視聴する、の意味ではなく、以降の放送回についてもシリーズ番組を継続的に視聴（録画）するという意味である。つまり、図６（Ａ）および図６（Ｂ）に示されるメッセージに対してユーザが「はい」を選択することによって、実際には、視聴したシリーズ番組に対して、以降の放送回についても自動録画の対象となるよう処理がなされる。また、既に録画されている以降の放送回があれば、当該放送回についてユーザが再生を指示できるような画面を別途提示し、「はい」を選択した際に即時に続きの再生が開始されるとしても無論よい。
【０１１１】
また、図６（Ａ）または図６（Ｂ）に示すメッセージは、ユーザが第１回の放送を途中まで視聴した時点で表示されてもよいし、第１回の放送を早送りで流し見した後に表示されてもよい。即ち、図６（Ａ）または図６（Ｂ）に示すメッセージが表示されるタイミングは任意に設定可能である。このことから、例えば、第１回の放送映像のダイジェスト映像を作成し、ユーザがダイジェスト映像を視聴した時点で図６（Ａ）または（Ｂ）に示すメッセージを表示してもよい。以上のとおり、図６（Ａ）または図６（Ｂ）に示す画面から、第１回の放送の視聴後の処理として、２回以降の放送の視聴または録画へとユーザを誘導する。
【０１１２】
（指示部１０８）
指示部１０８は、図６（Ａ）または図６（Ｂ）に示すメッセージに対するユーザの入力結果に基づき、蓄積制御部１０４が行う蓄積処理の変更を指示する。より具体的に説明すれば以下のとおりである。
【０１１３】
ユーザがシリーズ番組の第１回の放送を視聴した後、図６（Ａ）または図６（Ｂ）に示すメッセージに対して、操作部１０９を介して「はい」を選択した場合、指示部１０８は、続きを視聴（録画）する旨の指示を表す指示データを受け付ける。その後、指示部１０８は、蓄積制御部１０４に対して上記指示データを伝送する。蓄積制御部１０４は、上記指示データを受け取ると、第１回の放送について受け取った番組指定データに含まれている情報（番組の放送日、開始時刻、終了時刻、チャンネル、放送間隔など）に従って、第２回以降の放送についても録画を行う。より具体的には、例えば、第１回の放送のみを録画する設定となっていた録画予約を、毎週録画あるいは毎日録画などの設定に変更する。
【０１１４】
また、図４（Ａ）に示す蓄積領域４０１を用いる場合、蓄積制御部１０４は、ユーザが視聴したシリーズ番組の第１回の放送データを、蓄積領域４０１から蓄積領域４０２に移動する。すなわち、蓄積領域４０１は、シリーズ番組の第１回の放送データであって、ユーザが視聴していない放送データのみを蓄積している。あるいは、図４（Ｂ）に示す録画リスト４１１を用いて放送データを管理する場合には、ユーザが第１回の放送を視聴したシリーズ番組のタイトルを録画リスト４１１から削除する。すなわち、録画リスト４１１には、ユーザが第１回の放送を視聴していない番組のみが記録されている。
【０１１５】
ユーザがシリーズ番組の第１回の放送を視聴した後、図６（Ａ）または図６（Ｂ）に示すメッセージに対して、操作部１０９を介して「いいえ」を選択した場合、指示部１０８は、続きを視聴（録画）しない旨の指示を表す指示データを受け付ける。その後、指示部１０８は、蓄積制御部１０４に対して上記指示データを伝送する。蓄積制御部１０４は、上記指示データを受け取ると、蓄積部１０５に蓄積されている当該シリーズ番組についての放送データを全て破棄する。例えば、蓄積部１０５が当該シリーズ番組について第２回以降の放送データを蓄積している場合、蓄積部１０４は、第２回以降の放送データを削除する。更に、第１回及び第２回以降の放送を録画する設定となっていた録画予約を取り消す。
【０１１６】
以上説明したように、本発明の実施の形態１にかかる録画装置１は、番組指定データ抽出部１０３および蓄積制御部１０４を備えている。番組指定データ抽出部１０３は、シリーズ番組の第１回の番組を抽出する。そして、蓄積制御部１０４は、ユーザから録画の指示を受けることなく、番組指定データ抽出部１０３から受け取った番組指定データに基づいて番組を録画する。また、第１回放送の番組映像が視聴されるまで、第２回放送以降のシリーズ番組を継続して録画する。これによって、シリーズ番組の第１回の放送を録り逃すことを回避できる。
【０１１７】
また、更に、本発明の実施の形態１にかかる録画装置１は、再生制御部１０６および指示部１０８を備えて、録画された第１回放送の番組映像を視聴後に、第２回以降を継続して視聴、録画するかを選択するかを尋ね、第２回以降の番組の視聴あるいは録画に誘導する。これにより、ユーザの手間を減らし、効率的に第２回以降の視聴、録画へと誘導することが可能となった。また、ユーザは第１回放送の番組映像を視て、その番組が続けて視たい、ユーザにとって望ましいシリーズ番組であるかを判断できるので、その番組がユーザ自身にとって望ましい番組であるかのより正確な判断が可能となった。
【０１１８】
〔実施の形態２〕
本発明に係る他の実施の形態について、図７乃至図９を用いて説明する。
【０１１９】
（録画装置２の概要）
図７は、本発明の実施の形態２に係る録画装置２の概略構成を示した機能ブロック図である。録画装置２は、番組ガイドデータ取得部７０１と、番組受信部７０２と、番組指定データ抽出部７０３と、蓄積制御部７０４と、蓄積部７０５と、再生制御部７０６と、表示制御部７０７と、指示部７０８と、操作部７０９、ディスプレイ７１０とを備えている。
【０１２０】
番組ガイドデータ取得部７０１、番組受信部７０２、蓄積部７０５、表示制御部７０７、指示部７０８、操作部７０９、ディスプレイ７１０は、それぞれ、実施の形態１において説明した録画装置１の番組ガイドデータ取得部１０１、番組受信部１０２、蓄積部１０５、表示制御部１０７、指示部１０８、操作部１０９、ディスプレイ１１０と同じ機能を有する。したがって、以下では、番組指定データ抽出部７０３、蓄積制御部７０４、再生制御部７０６、指示部７０８の機能を中心に説明する。
【０１２１】
番組指定データ抽出部７０３は、番組ガイドデータ取得部７０１から番組ガイドデータを受け取ると、番組ガイドデータに情報が含まれている番組の中から、予告番組もしくは番宣（番組宣伝）番組の番組指定データを抽出する。以下では、予告番組と番宣番組を併せて予告／番宣番組と略す。
【０１２２】
番組ガイドデータ取得部７０１における番組ガイドデータから予告／番宣番組であるかを判定手段としては、実施の形態１において図２（Ａ）で示した例と同様に、予告／番宣番組の番組ガイドデータに含まれやすいキーワード、例えば、「予告」、「新番組」、「直前」、「みどころ」などを元にキーワード検索を行って判定する方法がある。また、予告／番宣番組は番組編成の改変期に集中して放送されることが多いため、四半期ごとの番組編成の改変期であること、及びシリーズ番組が放送される可能性の高い時間帯の番組を集中して録画するようにしてもよい。あるいは、番組編成改変期には、対象のシリーズ番組に関するＣＭも多く放送されるようになるため、番組編成改変期のＣＭから頻繁に出現する番組タイトルの候補を抽出して、抽出された候補タイトルをキーワードに予告／番宣番組を抽出することもできる。
【０１２３】
蓄積制御部７０４は、番組指定データ抽出部７０３から、番組指定データ抽出部７０３が番組指定データとして抽出した予告／番宣番組の放送日、開始時刻、終了時刻、チャンネル、放送間隔（毎日や毎週など）などのデータを受け取り、番組指定データに基づいて番組を録画する。このとき、蓄積制御部７０４は、番組受信部７０２から、予告／番宣番組の放送データを受け取って、蓄積部７０５に蓄積する。また、蓄積部７０５は、実施の形態１に係る蓄積部１０５と同様、予告／番宣番組の放送データを他の番組の放送データと区別できるようにするため、予告／番宣番組の放送データを記録するための専用の蓄積領域を含んでいる。（図４（Ａ）参照）
なお、以下の説明においては、録画済みの予告／番宣番組が予告もしくは宣伝の対象としている番組についての番組指定データを、あらかじめ取得し蓄積部７０５に保持しているものとする。
【０１２４】
再生制御部７０６は、録画済みの予告／番宣番組のリストを表すデータを表示制御部７０７に送出する。そして、表示制御部７０７は、ディスプレイ７１０に録画済みの予告／番宣番組のリストを表示するための制御を行う。図８は、録画済みの予告／番宣番組のリストをディスプレイ７１０に表示する例を示す図である。図８に示すリストを表示することにより、ユーザに対して、録画済みの予告／番宣番組の視聴を促す。そして、ユーザは、図８に示す予告／番宣番組の中から所望の予告／番宣番組を選択して視聴する。上述したとおり、本実施の形態においては、録画済みの予告／番宣番組が予告もしくは宣伝の対象としている番組についての番組指定データも、あらかじめ取得し蓄積部７０５に蓄積している。そのため、ユーザが予告／番宣番組を視聴した後に、当該予告／番宣番組が予告または宣伝の対象としている番組（本放送番組）の番組指定データを使い、本放送番組の録画予約へと誘導する。図９は、予告／番宣番組が予告もしくは宣伝の対象としている番組の録画予約へとユーザを誘導する画面の例を示す図である。図９に示すような画面が、予告／番宣番組を視聴後のユーザに対して表示され、ユーザを本放送番組の録画予約へと誘導する。
【０１２５】
そして、ユーザから本放送番組についての録画予約の指示があった場合、指示部７０８は、蓄積制御部７０４へ、該本放送番組の録画予約を指示し、録画が実行される。
【０１２６】
なお、録画装置２の再生制御部７０６は、蓄積されている本放送番組の番組指定データから、該本放送番組の放送時間帯を調べ、該本放送番組の放送が近づいているかを判断して、ユーザにその旨を提示し、ユーザに注意を促す機能を備えてもよい。
【０１２７】
本発明の実施の形態２にかかる録画装置２は、判定部７０３および蓄積制御部７０４を備えて、放送される番組が予告／番宣番組か否かを判定して自動で録画する。これにより、ユーザは、録画された予告／番宣番組を見逃すことなく確実に視聴できる。したがって、ユーザは、予告／番宣伝番組が予告もしくは宣伝の対象としている本放送番組がユーザにとって望ましい番組であるか否かを的確に判断することが可能となる。
【０１２８】
また、録画装置２は、再生制御部７０６および指示部７０８を備えており、録画された予告／番宣番組を視聴したユーザを、本放送番組の録画へとスムーズに誘導可能である。
【０１２９】
なお、ここで開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３１】
（他の構成）
なお、本発明を、以下のように表現することも可能である。
【０１３２】
（第１の構成）
シリーズ番組の番組映像を録画する録画装置であって、前記番組映像の放送が第１回放送かを判定する判定手段と、前記判定手段により第１回放送と判定された前記番組映像を録画する録画手段とを備える録画装置。
【０１３３】
（第２の構成）
前記判定手段は、番組映像に関連して提供されている番組情報に基づいて前記番組映像の放送が第１回放送かを判定する、第１の構成に記載の録画装置。
【０１３４】
（第３の構成）
前記判定手段は、番組映像の映像データに基づいて前記番組映像の放送が第１回放送かを判定する、第１の構成に記載の録画装置。
【０１３５】
（第４の構成）
前記録画手段は、更に、所定の条件を満たすまで、第２回放送以降の番組映像の録画を継続して行うことを特徴とする、第１の構成乃至第３の構成に記載の録画装置。
【０１３６】
（第５の構成）
前記所定の条件は、第１回放送番組が視聴されたか否かである、第４の構成に記載の録画装置。
【０１３７】
（第６の構成）
前記第１回放送番組が視聴されたか際に、第２回以降の視聴あるいは録画を継続するか否かを選択させる、第５の構成に記載の録画装置。
【０１３８】
（第７の構成）
第１回放送の番組映像を蓄積する専用領域を設けて録画する、第１の構成乃至第６の構成に記載の録画装置。
【０１３９】
（第８の構成）
番組情報と共に放送されている番組映像を録画する録画装置であって、前記番組情報に基づいて、前記番組映像の放送が今後放送予定の番組の予告番組、番宣番組かを判定する判定手段と、前記判定手段により予告番組、番宣番組と判定された前記番組映像を録画する録画手段とを備える録画装置。
【０１４０】
（第９の構成）
予告番組、番宣番組を蓄積する専用領域を設けて録画する、第８の構成に記載の録画装置。
【０１４１】
最後に、録画装置１の各ブロック、特に番組指定データ抽出部１０３および蓄積制御部１０４は、ハードウェアロジックによって構成してもよいし、次のようにＣＰＵを用いてソフトウェアによって実現してもよい。
【０１４２】
すなわち、録画装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである録画装置１の制御プログラムのプログラムコード（実行形式プログラム、中間コードプログラム、ソースプログラム）をコンピュータで読み取り可能に記録した記録媒体を、上記録画装置１に供給し、そのコンピュータ（またはＣＰＵやＭＰＵ）が記録媒体に記録されているプログラムコードを読み出し実行することによっても、達成可能である。
【０１４３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４４】
また、録画装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１４５】
本発明は、テレビジョン放送における連続ドラマなどのシリーズ番組を受信して録画できる録画装置に適用することが可能である。特に、複数種類の放送を受信できる録画装置、すなわち、多数のシリーズ番組を受信可能な録画装置において好適に利用することができる。
【図面の簡単な説明】
【０１４６】
【図１】本発明の実施の形態１に係る録画装置の概略構成を示した機能ブロック図である。
【図２】（Ａ）は、キーワード検索によってシリーズ番組の第１回の放送についての番組指定データを抽出する場合の処理のイメージを表す図であり、（Ｂ）は、異なる日の同一の時間帯に放送される番組のタイトルを比較することによって、シリーズ番組の第１回の放送についての番組指定データを抽出する場合の処理のイメージを表す図である。
【図３】番組指定データ抽出部がシリーズ番組の第１回の放送についての番組指定データを抽出する処理において、番組の映像データを利用してシリーズ番組の第１回の放送を判定する処理のイメージを表す図である。
【図４】（Ａ）は、シリーズ番組の第１回の放送データを蓄積する専用の領域を有する蓄積部を示す図であり、（Ｂ）は、シリーズ番組の第１回の放送データについて、録画リストを用いて管理する蓄積部を示す図である。
【図５】録画済みの番組のリストをディスプレイに表示する例を示す図である。
【図６】シリーズ番組の続きを視聴または録画するか否かについてユーザの意思を確認するためにディスプレイに表示されるメッセージの例を示す図である。
【図７】本発明の実施の形態２に係る録画装置の概略構成を示した機能ブロック図である。
【図８】録画済みの予告／番宣番組のリストをディスプレイに表示する例を示す図である。
【図９】予告／番宣番組が予告もしくは宣伝の対象としている番組の録画予約へとユーザを誘導する画面の例を示す図である。
【符号の説明】
【０１４７】
１        録画装置
１０１    番組ガイドデータ取得部（番組ガイドデータ取得手段）
１０２    番組受信部
１０３    番組指定データ抽出部（判定手段）
１０４    蓄積制御部（録画手段、視聴判定手段）
１０５    蓄積部（記録媒体）
１０６    再生制御部（メッセージ制御手段）
１０７    表示制御部
１０８    指示部
１０９    操作部
１１０    ディスプレイ
２        録画装置
７０１    番組ガイドデータ取得部（番組ガイドデータ取得手段）
７０２    番組受信部
７０３    番組指定データ抽出部（判定手段）
７０４    蓄積制御部（録画手段、視聴判定手段）
７０５    蓄積部（記録媒体）
７０６    再生制御部（メッセージ制御手段）
７０７    表示制御部
７０８    指示部
７０９    操作部
７１０    ディスプレイ
【図１】
0004668129.tif 000002
【図２】
0004668129.tif 000003
【図３】
0004668129.tif 000004
【図４】
0004668129.tif 000005
【図５】
0004668129.tif 000006
【図６】
0004668129.tif 000007
【図７】
0004668129.tif 000008
【図８】
0004668129.tif 000009
【図９】
0004668129.tif 000010